(57)【特許請求の範囲】
【請求項１】
４３０〜４７０ｎｍ、５１０〜５５０ｎｍ、及び、６２０〜６８０ｎｍ以外、かつ、可視光の波長範囲にピーク波長を有する複数の異なる波長帯域の単色光を対象物上の各点に照射する光源装置と、
前記光源装置から照射され、前記対象物を透過した又は前記対象物に反射した前記各点における光の吸収を波長帯域ごとに夫々検出する複数の検出素子と当該複数の検出素子の夫々に設けられ検出対象となる前記波長帯域のみを透過させる複数のカラーフィルタとを備えた検出装置と、
各前記検出素子が検出した前記対象物上の前記各点における光の吸収に基づいて、吸収パターンを前記複数の検出素子毎に生成し、記憶装置に記憶されている比較対象用の吸収パターンと比較することにより前記対象物の真偽を判定する判定装置と
を備える偽造識別装置。
【請求項２】
前記光源装置は、４７０ｎｍより大きく５１０ｎｍより小さい波長範囲にピーク波長を有する第１の単色光を照射する第１光源素子、及び、５５０ｎｍより大きく６２０ｎｍより小さい波長範囲にピーク波長を有する第２の単色光を照射する第２光源素子を有しており、
前記検出装置は、前記第１光源素子から照射される前記第１の単色光の吸収と前記第２光源素子から照射される前記第２の単色光の吸収とを前記検出素子により夫々検出することを特徴とする請求項１に記載の偽造識別装置。
【請求項３】
４３０〜４７０ｎｍ、５１０〜５５０ｎｍ、及び、６２０〜６８０ｎｍ以外、かつ、可視光の波長範囲にピーク波長を有する複数の異なる波長帯域の単色光を対象物上の各点にに照射する照射ステップと、
前記対象物を透過し又は前記対象物に反射し、さらに検出対象となる前記波長帯域のみを透過させるカラーフィルタを通過した光の前記各点における吸収を波長帯域ごとに夫々検出する検出ステップと、
前記検出ステップにより検出した前記対象物上の前記各点における光の吸収に基づいて、吸収パターンを前記複数の検出素子毎に生成し、記憶装置に記憶されている比較対象用の吸収パターンと比較することにより前記対象物の真偽を判定する判定ステップと
を有する偽造識別方法。
【発明の詳細な説明】
【技術分野】
【０００１】
本発明は、偽造識別装置、及び、偽造識別方法に関する。
【背景技術】
【０００２】
従来、紙幣等の印刷には、偽造をし難くするために、一般的に使用されている市販のプリンタやカラーコピー機で使用されているようなＣＭＹＫ（シアン、マゼンタ、イエロー、ブラック）のインクは用いられず、特殊なインクが用いられている。このような特殊なインクには、上述したようなＣＭＹＫのインクに使用されている顔料や染料とは異なるものが用いられている。
【０００３】
ＣＭＹＫのインクを用いても、自然光の下で観察する限りにおいては真性なものと同様の色を有する紙幣を印刷することはできる。しかしながら、顔料や染料等の色素は、夫々に分光吸収特性が異なるため、ＣＭＹＫのインクで印刷されたものと、特殊なインク（ＣＭＹＫのインクに含まれる色素とは異なる色素を用いたインク）で印刷されたものとをすべての波長領域で観察した場合には、両者の分光吸収特性が一致することはない。このように、分光スペクトル分布の異なる２つの光が特定の条件（例えば、太陽光の元）では同じ色に見えることを条件等色（メタメリズム）という。
【０００４】
従来、このような分光吸収特性の違いを用いて紙幣等の偽造を識別することが可能な装置や方法が存在する（例えば、特許文献１〜４参照）。特許文献１には、紙幣に光源から光を照射し、透過した光を分光計やフォトセンサにより検出する紙幣判別装置が記載されている。また、特許文献２には、対象物に光を照射し、その反射光より得られる像を読み取って、対象物の真偽を判定することが記載されている。また、特許文献３には、複数の波長帯域の光を夫々発生する複数の発光素子を直線上に配列し、紙幣を透過した各発光素子からの光を該波長帯域ごとに検出する紙幣識別装置が記載されている。また、特許文献２及び特許文献４には、磁気センサを設けて、磁気による検出と光による検出とを併用することが記載されている。磁気センサは、インクに含まれている磁性体の磁性の有無／強弱を読み取ることができる。特許文献２及び特許文献４では、このインクによる磁性の違いと、光吸収の違いとを併用することにより、精度を確保している。
【０００５】
【特許文献１】特開平１０−６３９１５号公報
【特許文献２】特開平６−３３３１２８号公報
【特許文献３】特開平９−５４８４８号公報
【特許文献４】特開平９−５４８５０号公報
【発明の開示】
【発明が解決しようとする課題】
【０００６】
上述したような従来の偽造識別装置では、幅広い波長領域で吸収を測定する分光計を用いる構成とした場合、精度は向上するものの、装置が大型となるばかりか、高価なものとなってしまうといった問題があった。
【０００７】
また、従来の偽造識別装置では、フォトセンサを用いる場合、三原色のうちの１つの色である赤色（６２０〜６８０ｎｍにピーク波長を有する赤色）を発する赤色ＬＥＤや、緑色（５１０〜５５０ｎｍにピーク波長を有する緑色）を発する緑色ＬＥＤを光源として用いている。しかしながら、真性な紙幣と偽物の紙幣との吸収特性とは、三原色の波長（４３０〜４７０ｎｍ、５１０〜５５０ｎｍ、６２０〜６８０ｎｍ）においては、吸収特性が近似してしまうため、汚れによるばらつきを許容すると、真性な紙幣と偽物の紙幣との差異を検出することは極めて困難となるといった問題があった。そのため、引用文献２及び引用文献４に記載されているように、磁気センサを設ける等して、光センサによる検出と併用することにより、精度を確保しなければならなかった。このように従来の偽造識別装置では、光センサと磁気センサとを併用しなければならず、部品点数の増加によるコスト増大や、装置の大型化といった問題があった。
【０００８】
本発明は、上述した課題に鑑みてなされたものであり、その目的は、部品点数が少なく、小型とすることができ、且つ、精度の高い偽造識別装置、及び、精度の高い偽造識別方法を提供することにある。
【課題を解決するための手段】
【０００９】
以上のような目的を達成するために、本発明は、以下のようなものを提供する。
（１） ４３０〜４７０ｎｍ、５１０〜５５０ｎｍ、及び、６２０〜６８０ｎｍ以外の波長範囲にピーク波長を有する複数の単色光を照射する光源装置と、
上記光源装置から照射され、対象物を透過した又は上記対象物に反射した光の吸収を波長帯域ごとに夫々検出する複数の検出素子を備えた検出装置と、
各上記検出素子が検出した光の吸収により上記対象物の真偽を判定する判定装置と
を備える偽造識別装置。
【００１０】
（１）の発明によれば、４３０〜４７０ｎｍ、５１０〜５５０ｎｍ、及び、６２０〜６８０ｎｍ以外の波長範囲にピーク波長を有する単色光（以下、非三原色単色光ともいう）を対象物に照射し、対象物（例えば、紙幣、有価証券、パスポート、免許証）を透過した又は上記対象物に反射した光の吸収を波長帯域ごとに夫々検出する複数の検出素子により検出する。そして、検出した光の吸収により上記対象物の真偽を判定する。非三原色単色光、すなわち、対象物に応じて吸収強度の差のなるべく大きい波長の光を用いて対象物の真偽を判定するため、真偽判定結果の精度を高く保つことができる。また、対象物を透過又は反射した光の吸収を、波長帯域ごとに夫々の検出素子により検出するため、幅広い波長領域で吸収を測定する分光計を用いる構成とするよりも小型にすることができるとともに、コストを低くすることができる。
【００１１】
さらに、本発明は、以下のようなものを提供する。
（２）  上記（１）の偽造識別装置であって、
上記光源装置は、４７０ｎｍより大きく５１０ｎｍより小さい波長範囲にピーク波長を有する第１の単色光を照射する第１光源素子、及び、５５０ｎｍより大きく６２０ｎｍより小さい波長範囲にピーク波長を有する第２の単色光を照射する第２光源素子を有しており、上記検出装置は、上記第１光源素子から照射される上記第１の単色光の吸収と上記第２光源素子から照射される上記第２の単色光の吸収とを上記検出素子により夫々検出することを特徴とする。
【００１２】
（２）の発明によれば、対象物に応じて吸収強度の差が大きくなり得る２つの光、すなわち、４７０ｎｍより大きく５１０ｎｍより小さい波長範囲にピーク波長を有する第１の単色光（青緑色の光）と、５５０ｎｍより大きく６２０ｎｍより小さい波長範囲にピーク波長を有する第２の単色光（黄色の光）とを用いて、対象物の真偽を判定する。上記第１の単色光、及び、上記第２の単色光の下では、真性な紙幣と偽物の紙幣との吸収特性が大きく異なることが多い。その結果、真偽判定結果の精度をより高く保つことができる。
【００１３】
さらに、本発明は、以下のようなものを提供する。
（３）  上記（１）又は（２）の偽造識別装置であって、
上記検出装置は、上記対象物上の各点における吸収を検出し、
上記判定装置は、上記検出装置により検出された上記対象物上の上記各点における上記吸収に基づいて、吸収パターンを生成し、記憶装置に記憶されている比較対象用の吸収パターンと比較することにより、上記対象物の真偽を判定することを特徴とする。
【００１４】
（３）の発明によれば、対象物上の各点における吸収を検出し、検出された上記対象物上の上記各点における上記吸収に基づいて、吸収パターンを生成し、記憶装置に記憶されている比較対象用の吸収パターンと比較することにより、上記対象物の真偽を判定する。吸収パターンにより対象物の真偽を判定するため、吸収強度が同一と判定される点が相対的に少なくなり、真偽判定結果の精度をさらに高く保つことができる。
【００１５】
さらに、本発明は、以下のようなものを提供する。
（４） ４３０〜４７０ｎｍ、５１０〜５５０ｎｍ、及び、６２０〜６８０ｎｍ以外の波長範囲にピーク波長を有する複数の単色光を対象物に照射する照射ステップと、
上記対象物を透過した又は上記対象物に反射した光の吸収を波長帯域ごとに検出する検出ステップと、
上記検出ステップにより検出した光の吸収により上記対象物の真偽を判定する判定ステップと
を有する偽造識別方法。
【００１６】
（４）の発明によれば、４３０〜４７０ｎｍ、５１０〜５５０ｎｍ、及び、６２０〜６８０ｎｍ以外の波長範囲にピーク波長を有する複数の単色光（非三原色単色光）を対象物に照射し、対象物（例えば、紙幣、有価証券、パスポート、免許証）を透過した又は上記対象物に反射した光の吸収を波長帯域ごとに夫々検出する複数の検出素子により検出する。そして、検出した光の吸収により上記対象物の真偽を判定する。非三原色単色光、すなわち、対象物に応じて吸収強度の差のなるべく大きい波長の光を用いて対象物の真偽を判定するため、真偽判定結果の精度を高く保つことができる。
【発明の効果】
【００１７】
本発明によれば、部品点数が少なく、小型とすることができ、且つ、精度の高い偽造識別装置、及び、精度の高い偽造識別方法を提供することができる。
【発明を実施するための最良の形態】
【００１８】
以下、本発明の実施形態について図面を用いて説明する。
図１は、本発明の一実施形態に係る紙幣識別装置を模式的に示す概略図である。
図１に示すように、紙幣識別装置１０は、紙幣１００を挿入口１１から内部に引き込むための引き込みローラ１２と、内部に引き込まれた紙幣１００が通過する紙幣通過経路１４の下側に設けられた光源装置１５と、紙幣通過経路１４の上側に設けられた検出装置１６とを備える。
【００１９】
光源装置１５には、４７０ｎｍより大きく５１０ｎｍより小さい波長範囲にピーク波長を有する第１の単色光を照射する第１光源素子１７と、５５０ｎｍより大きく６２０ｎｍより小さい波長範囲にピーク波長を有する第２の単色光を照射する第２光源素子１８とが備られている。
【００２０】
本実施形態では、第１光源素子１７として、白色ランプ１９ａと、４７０ｎｍ以下及び５１０ｎｍ以上の光をカットするカラーフィルタ２０ａとを組み合わせたものを用いる。また、第２光源素子１８として、白色ランプ１９ｂと、５５０ｎｍ以下及び６２０ｎｍ以上の光をカットするカラーフィルタ２０ｂとを組み合わせたものを用いる。
白色ランプとしては、特に限定されず、タングステンランプ、ハロゲンランプ、キセノンランプ、水銀ランプ等の連続スペクトルを有するランプを挙げることができる。また、白色ランプとして、赤色・緑色・青色の発光ダイオード（ＬＥＤ）を１つの発光源とした白色ＬＥＤを用いることとしてもよい。
【００２１】
図２は、光源素子が発する光を説明するための図である。
図２に示すように、第１光源素子１７は、波長λ１にピークを有する波長の光を発生させる。また、第２光源素子１８は、波長λ２にピークを有する波長の光を発生させる。波長λ１は、４７０ｎｍより大きく５１０ｎｍより小さい波長範囲にあり、波長λ２は、５５０ｎｍより大きく６２０ｎｍより小さい波長範囲にある。本実施形態では、波長λ１＝５００ｎｍ、波長λ２＝５７５ｎｍとなるようにカラーフィルタ２０（カラーフィルタ２０ａ、カラーフィルタ２０ｂ）を選択している。
【００２２】
本実施形態では、光源装置が単色光を発する光源素子を２種類、すなわち、第１光源素子１７と第２光源素子１８とを備える場合について説明する。
【００２３】
また、本実施形態では、カラーフィルタを用いることにより、波長λ１＝５００ｎｍにピークを有する波長の光、及び、波長λ２＝５７５ｎｍを発生させる場合について説明する。しかし、本発明においては、この例に限定されず、例えば、波長λ１にピークを有する発光ダイオードや、波長λ２にピークを有する発光ダイオードを用いることとしてもよい。波長λ１＝５００ｎｍにピークを有する波長の発光ダイオードとしては、例えば、特開２０００−０８２８４５号公報に開示されているような、４６０〜５１０ｎｍで発光するＺｎＳｅ系ＬＥＤを挙げることができる。また、波長λ１＝５７５ｎｍにピークを有する波長の発光ダイオードとしては、例えば、特許第３５９３６５８号公報に開示されているような、ＩｎＧａＡｌＰ／ＧａＡｓ又はＩｎＧａＡｌＰ／ＧａＰの黄色ＬＥＤを挙げることができる。
【００２４】
検出装置１６には、検出素子としての２つのフォトダイオード２１（フォトダイオード２１ａ及びフォトダイオード２１ｂ）が設けられている。フォトダイオード２１ａは、第１光源素子１７に対向する位置に設けられており、第１光源素子１７から照射され、紙幣１００を透過した光を電流に変換することにより、光の有無や強弱を検出する。また、フォトダイオード２１ｂは、第２光源素子１８に対向する位置に設けられており、第２光源素子１８から照射され、紙幣１００を透過した光を電流に変換することにより、光の有無や強弱を検出する。
【００２５】
第１光源素子１７に対応するフォトダイオード２１ａには、５００ｎｍに感度を持つものを使用し、第２光源素子１８に対応するフォトダイオード２１ｂには、５７５ｎｍに感度を持つものを使用する。このようなフォトダイオードとしては、例えば、シリコンフォトダイオードを挙げることができる。なお、光源を変更する場合には、フォトダイオード２１には、各光源素子に対応する波長領域に感度を持つものを使用すればよい。また、フォトダイオードの手前に、検出対象となる波長範囲のみを透過させ、他を透過させないカラーフィルタを設ける構成としてもよい。
【００２６】
引き込みローラ１２には、モータ５６から動力が供給され、図示しないギアで連動されることにより挿入口１１から紙幣１００を内部に引き込む。
【００２７】
図３は、図１に示した紙幣識別装置の内部構成を示すブロック図である。
紙幣識別装置１０は、ＣＰＵ５１、記憶装置としてのＲＯＭ５２、ＲＡＭ５３、判定装置５４、第１光源素子１７、第２光源素子１８、モータ駆動回路５５を介して接続されたモータ５６、及び、紙幣検出素子５７を備える。判定装置５４は、フォトダイオード２１（フォトダイオード２１ａ、フォトダイオード２１ｂ）と判定回路５８とを備える。
【００２８】
紙幣検出素子５７は、赤外領域の波長を使用するフォトカプラであり、紙幣が挿入口１１に挿入されたことを検出する。ＣＰＵ５１は、紙幣検出素子５７から紙幣１００が挿入されたことを検出したことを受けて、モータ駆動回路５５に駆動信号を制御する。ＣＰＵ５１は、駆動信号を送信してからの経過時間、又は、モータに送信した駆動パルス数により紙幣の位置を特定する。
【００２９】
ＲＯＭ５２には、紙幣識別装置１０の全体の動作を制御するための制御プログラムや、基準データ等が記憶されている。基準データとしては、例えば、各フォトダイオード２１が対応する光を検出したか否かを判断するためのしきい値、真偽判定対象の紙幣と比較するための比較対象用吸収パターンデータ、比較対象用吸収パターンとの一致度の基準を規定する規定データが記憶されている。しきい値としては、フォトダイオード２１ａが５００ｎｍの光を検出したか否かを判断するためのしきい値や、フォトダイオード２１ｂが５７５ｎｍの光を検出したか否かを判断するためのしきい値を挙げることができる。なお、これらのしきい値は、真偽を判定する紙幣の種類に応じて適宜設定することができる。真偽判定対象の紙幣と比較するための比較対象用吸収パターンデータは、真性な紙幣より得たデータであり、真性な紙幣における紙幣上の位置と該当位置における光の吸収の有無とが対応付けられている。
また、ＲＡＭ５３は、ＣＰＵ５１の一時記憶領域として種々の変数や、真偽判定対象となる紙幣から取得した吸収パターンを記憶する機能を有する。
【００３０】
図４は、比較対象用吸収パターンを説明するための図である。
吸収パターン６１、吸収パターン６２は、真性な紙幣１０１上の特定のライン上の各点における吸収の有無を示しており、点有り（図中、黒色部分）は、吸収有り、点なしは吸収無しを示している。吸収パターン６１は、フォトダイオード２１ａから検出される吸収と比較するためのものであり、フォトダイオード２１ａが設置される位置、及び、紙幣が移動する経路に基づいた吸収パターンである。吸収パターン６２は、フォトダイオード２１ｂから検出される吸収と比較するためのものであり、フォトダイオード２１ｂが設置される位置、及び、紙幣が移動する経路に基づいた吸収パターンである。
【００３１】
判定回路５８は、ＣＰＵ５１の制御の下、真偽判定対象の紙幣１００について、各フォトダイオード２１により検出した検出光量に基づいて吸収パターンを取得し、ＲＯＭ５２に記憶されている比較対象用吸収パターンと比較する。そして、吸収パターンの一致の度合いが所定の基準を満たすか否かにより、紙幣１００が真性か否かを判定する。
【００３２】
図５は、紙幣識別装置において実行される処理を示すフローチャートである。
まず、ＣＰＵ５１は、紙幣検出素子５７から紙幣が挿入されたことを示す検出信号を受信したか否かにより、紙幣を検出したか否かを判断する（ステップＳ１０）。紙幣を検出していないと判断した場合、処理をステップＳ１０に戻す。
【００３３】
紙幣を検出したと判断した場合、ステップＳ１２において、ＣＰＵ５１は、光源装置１５からの光の照射を開始する。ステップＳ１２は、本発明の照射ステップに相当する。
【００３４】
次に、ＣＰＵ５１は、モータ５６を駆動させて挿入された紙幣１００を移動させながら（ステップＳ１４）、検出装置５４により紙幣１００上の各点の吸収を検出し、吸収パターンを取得する（ステップＳ１６）。ステップＳ１６は、本発明の検出ステップに相当する。
【００３５】
次に、ＣＰＵ５１は、ＲＯＭ５２に記憶されている比較対象用吸収パターンとステップＳ１６において取得した吸収パターンとを比較し（ステップＳ１８）、ＲＯＭ５２に記憶されている規定データに基づいて、一致度が所定の基準を満たすか否かを判断する（ステップＳ２０）。
【００３６】
ステップＳ２０において一致度が所定の基準を満たすと判断した場合、ＣＰＵ５１は、紙幣１００が真性であると判定する（ステップＳ２２）一方、所定の基準を満たさないと判断した場合、ＣＰＵ５１は、偽物であると判定する（ステップＳ２４）。ステップＳ１８、ステップＳ２０、ステップＳ２２及びステップＳ２４は、本発明の判定ステップに相当する。その後、紙幣識別装置１０の用途に応じて、判定結果に応じた信号を外部に出力する処理や、紙幣を紙幣識別装置１０の内部に格納する処理又は紙幣を外部に返却する処理等を実行した後、本サブルーチンを終了する。
【００３７】
ステップＳ１２の照射ステップと、ステップＳ１６の検出ステップと、ステップＳ１８、ステップＳ２０、ステップＳ２２及びステップＳ２４の判定ステップとを有する紙幣識別方法は、本発明の偽造識別方法に相当する。
【００３８】
以上、本実施形態に係る紙幣識別装置１０及び紙幣識別方法によれば、４３０〜４７０ｎｍ、５１０〜５５０ｎｍ、及び、６２０〜６８０ｎｍ以外の波長範囲にピーク波長を有する単色光（非三原色単色光）を紙幣１００に照射し、紙幣１００を透過した光の吸収を波長帯域ごとに検出する。そして、検出した光の吸収により紙幣１００の真偽を判定する。非三原色単色光、すなわち、吸収強度の差のなるべく大きい波長の光を用いて紙幣１００の真偽を判定するため、真偽判定結果の精度を高く保つことができる。
【００３９】
また、紙幣識別装置１０によれば、紙幣１００を透過した光の吸収を、波長帯域ごとに夫々のフォトダイオード２１により検出するため、幅広い波長領域で吸収を測定する分光計を用いる構成とするよりも小型にすることができるとともに、コストを低くすることができる。
【００４０】
また、紙幣識別装置１０によれば、対象物（紙幣１００）に応じて吸収強度の差が大きくなり得る２つの光、すなわち、４７０ｎｍより大きく５１０ｎｍより小さい波長範囲にピーク波長を有する第１の単色光（青緑色の光）と、５５０ｎｍより大きく６２０ｎｍより小さい波長範囲にピーク波長を有する第２の単色光（黄色の光）とを用いて、紙幣１００の真偽を判定する。上記第１の単色光、及び、上記第２の単色光の下では、本物の紙幣と偽物の紙幣との吸収特性が大きく異なることが多い。その結果、真偽判定結果の精度をより高く保つことができる。
【００４１】
また、紙幣識別装置１０によれば、紙幣上の各点における吸収を検出し、検出された紙幣上の上記各点における吸収に基づいて、吸収パターンを生成し、ＲＯＭ５２に記憶されている比較対象用の吸収パターンと比較することにより、紙幣の真偽を判定する。吸収パターンにより紙幣の真偽を判定するため、吸収強度が同一と判定される点が相対的に少なくなり、真偽判定結果の精度をさらに高く保つことができる。
【００４２】
本発明において、光源装置から照射する単色光は、４３０〜４７０ｎｍ、５１０〜５５０ｎｍ、及び、６２０〜６８０ｎｍ以外の波長範囲にピーク波長を有する複数の単色光である。本発明において、光源装置から照射する単色光は、４３０〜４８０ｎｍ、５１０〜５５５ｎｍ、及び、６００〜７００ｎｍ以外の波長範囲にピーク波長を有する複数の単色光であることが望ましく、４３０〜４９０ｎｍ、５１０〜５６０ｎｍ、及び、５８０〜７００ｎｍ以外の波長範囲にピーク波長を有する複数の単色光であることがより望ましい。また、３８０〜４９０ｎｍ、５１０〜５６０ｎｍ、及び、５８０〜７８０ｎｍ以外の波長範囲にピーク波長を有する複数の単色光であることがさらに望ましい。また、本発明では、光源から照射する光を可視光（波長３８０〜７８０ｎｍ）とすることが望ましい。
【００４３】
本実施形態では、紙幣１００を透過する光の吸収を検出する場合について説明したが、本発明においては、対象物上で光源装置からの光を反射させ、反射した光の吸収を検出することとしてもよい。
【００４４】
本実施形態では、吸収パターンが、ライン状（１次元）である場合について説明したが、本発明における吸収パターンは、面状（２次元）であってもよい。面状とする場合、対象物上にマトリックス状に検出対象となる点を設定し、各点における吸収を吸収パターンとすればよい。
【００４６】
また、本実施形態では、４７０ｎｍより大きく５１０ｎｍより小さい波長範囲にピーク波長を有する第１の単色光と、５５０ｎｍより大きく６２０ｎｍより小さい波長範囲にピーク波長を有する第２の単色光とを、夫々、１種類ずつ照射する場合について説明した。しかし、本発明においては、４７０ｎｍより大きく５１０ｎｍより小さい波長範囲にピーク波長を有する第１の単色光を複数、例えば、ピーク波長４９５ｎｍの光と、ピーク波長５００ｎｍの光を照射することとしてもよい。また、５５０ｎｍより大きく６２０ｎｍより小さい波長範囲にピーク波長を有する第２の単色光を複数、例えば、ピーク波長５６５ｎｍの光と、ピーク波長５７５ｎｍの光を照射することとしてもよい。
【００４７】
本実施形態では、紙幣識別装置１０及び紙幣識別方法、すなわち、紙幣の真偽を識別する場合について説明したが、本発明における偽造識別装置及び偽造識別方法は、この例に限定されず、有価証券や、パスポート、免許証等の証明書類等の真偽を識別する装置及び方法であってもよい。なお、有価証券や、パスポート、免許証等の証明書類等の真偽を識別する場合には、識別の対象物に応じて、光源装置、検出装置、しきい値等を適宜選択すればよい。
【００４８】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００４９】
【図１】本発明の一実施形態に係る紙幣識別装置を模式的に示す概略図である。
【図２】光源素子が発する光を説明するための図である。
【図３】図１に示した紙幣識別装置の内部構成を示すブロック図である。
【図４】比較対象用吸収パターンを説明するための図である。
【図５】紙幣識別装置において実行される処理を示すフローチャートである。
【符号の説明】
【００５０】
１０  紙幣識別装置
１５  光源装置
１６  検出装置
１７  第１光源素子
１８  第２光源素子
１９（１９ａ、１９ｂ）  白色ランプ
２０（２０ａ、２０ｂ）  カラーフィルタ
２１（２１ａ、２１ｂ）  フォトダイオード
５１  ＣＰＵ
５２  ＲＯＭ
５３  ＲＡＭ
５４  判定装置
６１、６２  吸収パターン
【図１】
0005526366.tif 000002
【図２】
0005526366.tif 000003
【図３】
0005526366.tif 000004
【図４】
0005526366.tif 000005
【図５】
0005526366.tif 000006